(57)【要約】  本発明は特徴情報の取得方法、装置、ネットワーク装置、プログラム及び記録媒体に関し、コンピュータ及び通信技術分野に関わり、ルーターを介してデバイス情報の取得を実施し、他のユーザへの通知を実施可能である。前記方法は、第１の端末装置から送信されたネットワーク接続要求を受信するステップと、受信された前記ネットワーク接続要求を解析して、前記第１の端末装置のデバイス情報を取得するステップと、取得された前記デバイス情報に基づいて、第１の端末装置の身分情報を表す特徴情報を特定するステップと、取得された前記特徴情報を出力するステップとを備える。【選択図】図１
2016502172.tif 000002
【特許請求の範囲】
【請求項１】
第１の端末装置から送信されたネットワーク接続要求を受信するステップと、
受信された前記ネットワーク接続要求を解析して、前記第１の端末装置のデバイス情報を取得するステップと、
取得された前記デバイス情報に基づいて、第１の端末装置の身分情報を表す特徴情報を特定するステップと、
取得された前記特徴情報を出力するステップと、
を備えることを特徴とする特徴情報を取得する方法。
【請求項２】
取得された前記デバイス情報に基づいて、第１の端末装置の身分情報を表す特徴情報を特定する前記ステップは、
取得された前記デバイス情報に基づいて、事前に設定されたデバイス情報と特徴情報との対応関係を照会し、取得された前記デバイス情報に対応する特徴情報を特定するステップを備えることを特徴とする請求項１に記載の方法。
【請求項３】
取得された前記デバイス情報に基づいて、第１の端末装置の身分情報を表す特徴情報を特定する前記ステップは、
取得された前記デバイス情報に基づいて、前記第１の端末装置とネットワーク接続を確立するステップと、
前記第１の端末装置がアクセスするポートを特定するステップと、
前記第１の端末装置がアクセスするポートに基づいて、事前に設定されたポートと特徴情報との対応関係を照会し、取得された前記デバイス情報に対応する特徴情報を特定するステップと、
を備えることを特徴とする請求項１に記載の方法。
【請求項４】
取得された前記デバイス情報に基づいて、第１の端末装置の身分情報を表す特徴情報を特定する前記ステップは、
前記第１の端末装置がアクセスするポートに基づいて、事前に設定されたポートと特徴情報との対応関係を照会し、取得された前記デバイス情報に対応する特徴情報を特定した後、特定された特徴情報に基づいて、第１の端末装置に最終的な特徴情報を割り当てるステップを備えることを特徴とする請求項３に記載の方法。
【請求項５】
取得された前記デバイス情報に基づいて、第１の端末装置の身分情報を表す特徴情報を特定する前記ステップは、
取得された前記デバイス情報に基づいて、前記第１の端末装置に第１の端末装置の特徴情報の取得を要求する取得要求を送信し、前記第１の端末装置から送信された、前記第１の端末装置の特徴情報を含む、要求に対する応答を受信するステップ、又は、
ネットワーク側で前記デバイス情報に対応する特徴情報を検索するステップを備えることを特徴とする請求項１に記載の方法。
【請求項６】
取得された特徴情報を出力する前記ステップは、
取得された前記特徴情報を表示するステップ、又は、
第２の端末装置へ取得された前記特徴情報を送信するステップを備えることを特徴とする請求項１に記載の方法。
【請求項７】
前記デバイス情報は、媒体アクセス制御ＭＡＣアドレス情報及び／またはポート利用情報を含むことを特徴とする請求項１に記載の方法。
【請求項８】
前記特徴情報は、ユーザ名情報、オペレーティング・システム情報、ブランド情報、デバイスモデル情報、メーカー情報、用途情報及びアプリケーション名情報よりなる群から選ばれた１項又は数項を含むことを特徴とする請求項１に記載の方法。
【請求項９】
第１の端末装置から送信されたネットワーク接続要求を受信する受信モジュールと、
受信された前記ネットワーク接続要求を解析して、第１の端末装置のデバイス情報を取得する解析モジュールと、
取得された前記デバイス情報に基づいて、第１の端末装置の身分情報を表す特徴情報を特定する特徴モジュールと、
取得された前記特徴情報を出力する出力モジュールと、
を備えることを特徴とする特徴情報を取得する装置。
【請求項１０】
前記特徴モジュールは、
取得された前記デバイス情報に基づいて、前記第１の端末装置とネットワーク接続を確立する接続ユニットと、
前記第１の端末装置がアクセスするポートを特定するポートユニットと、
前記第１の端末装置がアクセスするポートに基づいて、事前に設定されたポートと特徴情報との対応関係を照会し、取得された前記デバイス情報に対応する特徴情報を特定する第１の照会ユニットと、
を備えることを特徴とする請求項９に記載の特徴情報を取得する装置。
【請求項１１】
前記特徴モジュールは、特定された特徴情報に基づいて、第１の端末装置に最終的な特徴情報を割り当てる割当ユニットを備えることを特徴とする請求項１０に記載の特徴情報を取得する装置。
【請求項１２】
前記特徴モジュールは、取得された前記デバイス情報に基づいて、事前に設定されたデバイス情報と特徴情報との対応関係を照会し、取得された前記デバイス情報に対応する特徴情報を特定する第２の照会ユニットを備えることを特徴とする請求項９に記載の特徴情報を取得する装置。
【請求項１３】
前記特徴モジュールは、
取得された前記デバイス情報に基づいて、前記第１の端末装置に前記第１の端末装置の特徴情報の取得を要求する取得要求を送信する送信ユニットと、
第１の端末装置から送信された、前記第１の端末装置の特徴情報を含む、要求に対する応答を受信する受信ユニットと、を備えるか、
又は、
ネットワーク側で前記デバイス情報に対応する特徴情報を検索する検索ユニットを備える、
ことを特徴とする請求項９に記載の特徴情報を取得する装置。
【請求項１４】
前記出力モジュールは、
取得された前記特徴情報を表示する表示ユニット、又は、
第２の端末装置へ取得された前記特徴情報を送信する送信ユニットを備える、
ことを特徴とする請求項９に記載の特徴情報を取得する装置。
【請求項１５】
メモリ、およびメモリに記憶され、１つまたは１つ以上のプロセッサにより実行されるように配置された１つまたは１つ以上のプログラムを備え、
前記１つまたは１つ以上のプログラムは
第１の端末装置から送信されたネットワーク接続要求を受信するステップと、
受信された前記ネットワーク接続要求を解析して、第１の端末装置のデバイス情報を取得するステップと、
取得された前記デバイス情報に基づいて、第１の端末装置の身分情報を表す特徴情報を特定するステップと、
取得された前記特徴情報を出力するステップと
を行なうための指令を含むことを特徴とするネットワーク装置。
【発明の詳細な説明】
【技術分野】
【０００１】
本出願は、出願番号が２０１３１０４５６２６６．２であって、出願日が２０１３年９月２９日である中国特許出願に基づき優先権を主張し、当該中国特許出願の全ての内容を本願に援用する。
【０００２】
本発明は、コンピュータ及び通信技術分野に関し、特に、特徴情報の取得方法、装置及びネットワーク装置に関している。
【背景技術】
【０００３】
関係技術では、通信及びインターネット技術の発展に従い、ネットワークは既に至る所に存在するようになり、情報の流通を補強し、人間の生活を豊かにしたり役に立ったりしている。
【０００４】
インターネットにおける重要なデバイスはルーターである。ルーター（Ｒｏｕｔｅｒ）は、ネットワークにてインターネット（ＩＮＴＥＲＮＥＴ）における各ローカルエリア・ネットワークと広域ネットワークを接続するデバイスであり、情報チャンネルの状況に基づいてルートを自動的に選択及び設定し、最適な経路で前後順序で信号を送信するデバイスである。ルーターはインターネットにおいて重要な地位を占め、「交通警察」である。現在、ルーターは既に多くの業界に幅広く応用されており、異なるレベルの製品は既に各種のバックボーン・ネットワーク（ｂａｃｋｂｏｎｅ  ｎｅｔｗｏｒｋ）の内部ネットワークの接続、バックボーン・ネットワークの相互接続、及びバックボーン・ネットワークとインターネットとの相互接続連通業務の主力となる。家電製品の増加及びインターネット機能の豊富に従い、ルーターは公共ネットワークに存在するだけでなく、それぞれの家庭にも存在するようになる。
【０００５】
家庭におけるワイヤレスルータに関しては、家族以外の見知らぬ人の端末装置がネットワークにて接続される恐れがあり、この場合、家庭のホストはルーターがこれら見知らない端末装置をシールドするよう希望する。お客さんが訪ね、端末装置をネットワークにてワイヤレスルータに接続しようとする場合、家庭のホストはルーターがこれらの端末装置のアクセスを許可するよう希望する。しかしながら、家庭のホストは見知らぬ人の端末装置とお客さんの端末装置とを区分できない。
【発明の概要】
【０００６】
以上に係る技術に存在する問題を解消するために、本発明は特徴情報の取得方法、特徴情報の取得装置及びネットワーク装置を提供する。
【０００７】
本発明の実施例の第１の局面は
第１の端末装置から送信されたネットワーク接続要求を受信するステップと、
受信された前記ネットワーク接続要求を解析して、前記第１の端末装置のデバイス情報を取得するステップと、
取得された前記デバイス情報に基づいて、第１の端末装置の身分情報を表す特徴情報を特定するステップと、
取得された前記特徴情報を出力するステップと、を備える特徴情報の取得方法を提供する。
【０００８】
本発明では、ネットワーク接続過程を介して第１の端末装置の特徴情報を取得するとともにユーザに特徴情報を出力することができる。ユーザがネットワークにて接続される第１の端末装置を了解し、更に、第１の端末装置に関する処理を行うことに便利する。
【０００９】
取得された前記デバイス情報に基づいて、第１の端末装置の身分情報を表す特徴情報を特定する前記ステップは、
取得された前記デバイス情報に基づいて、前記第１の端末装置とネットワーク接続を確立するステップと、
前記第１の端末装置がアクセスするポートを特定するステップと、
前記第１の端末装置がアクセスするポートに基づいて、事前に設定されたポートと特徴情報との対応関係を照会し、取得された前記デバイス情報に対応する特徴情報を特定するステップと、を備える。
【００１０】
本発明では、第１の端末装置がアクセスするポートによって第１の端末装置の特徴情報を特定することは特徴情報の取得する方法であり、該過程は第１の端末装置の応答を必要としない。
【００１１】
取得された前記デバイス情報に基づいて、第１の端末装置の身分情報を表す特徴情報を特定する前記ステップは、
前記第１の端末装置がアクセスするポートに基づいて、事前に設定されたポートと特徴情報との対応関係を照会し、取得された前記デバイス情報に対応する特徴情報を特定した後、特定された特徴情報に基づいて、第１の端末装置に最終的な特徴情報を割り当てるステップを備える。
【００１２】
本発明では、直接的に得られた特徴情報に最終的な特徴情報を割り当てることによって、直接に得られた特徴情報に比べてより的確となり、ユーザの識別も容易となる。
【００１３】
取得された前記デバイス情報に基づいて、第１の端末装置の身分情報を表す特徴情報を特定する前記ステップは、
取得されたデバイス情報に基づいて、事前に設定されたデバイス情報と特徴情報との対応関係を照会し、取得されたデバイス情報に対応する特徴情報を特定するステップを備える。
【００１４】
本発明では、第１の端末装置のデバイス情報により対応する特徴情報を特定し、該方式で取得された特徴情報は比較的的確であり、且つ、第１の端末装置の応答を必要としていない。
【００１５】
取得された前記デバイス情報に基づいて、第１の端末装置の身分情報を表す特徴情報を特定する前記ステップは、
取得された前記デバイス情報に基づいて、前記第１の端末装置に第１の端末装置の特徴情報の取得を要求する取得要求を送信し、前記第１の端末装置から送信された、前記第１の端末装置の特徴情報を含む要求に対する応答を受信するステップ、
又は、ネットワーク側で前記デバイス情報に対応する特徴情報を検索するステップ、を備える。
【００１６】
本発明では、第１の端末装置とのメッセージの交換によって、第１の端末装置の特徴情報を取得し、該方式にて取得された特徴情報は比較的的確であり、予め様々な対応関係の確立も必要とされていない。又は、ネットワークにて特徴情報を取得でき、取得のチャンネルがより多くなる。
【００１７】
取得された特徴情報を出力する前記ステップは、
取得された特徴情報を表示するステップ、又は、
第２の端末装置へ取得された特徴情報を送信するステップを備える。
【００１８】
本発明では、２種の出力方式が提示されており、表示スクリーンがある場合、取得された特徴情報を表示することによって、ユーザに第１の端末装置のネットワークを介する接続を通知できる一方、他の端末装置に特徴情報を出すことによって、他の端末装置に第１の端末装置のネットワークを介する接続を通知できる。
【００１９】
デバイス情報は、ＭＡＣアドレス情報及び／又はポート利用情報を含む。
【００２０】
特徴情報は、ユーザ名情報、オペレーティング・システム情報、ブランド情報、デバイスモデル情報、メーカー情報、用途情報とアプリケーション名情報よりなる群から選ばれた１項又は数項を含む。本発明は、ユーザが第１の端末装置を了解するための複数の特徴情報を提示している。
【００２１】
本発明の実施例の第２の局面は、
第１の端末装置から送信されたネットワーク接続要求を受信する受信モジュールと、
受信された前記ネットワーク接続要求を解析して、第１の端末装置のデバイス情報を取得する解析モジュールと、
取得された前記デバイス情報に基づいて、第１の端末装置の身分情報を表す特徴情報を特定する特徴モジュールと、
取得された特徴情報を出力する出力モジュールとを備える特徴情報の取得装置を提供する。
【００２２】
前記特徴モジュールは、
取得されたデバイス情報に基づいて第１の端末装置とネットワーク接続を確立する接続ユニットと、
第１の端末装置がアクセスするポートを特定するポートユニットと、
第１の端末装置がアクセスするポートに基づいて、事前に設定されたポートと特徴情報との対応関係を照会し、取得されたデバイス情報に対応する特徴情報を特定する第１の照会ユニットとを備える。
【００２３】
前記特徴モジュールは、
特定された特徴情報に基づいて第１の端末装置に最終的な特徴情報を割り当てる割当ユニットを更に備える。
【００２４】
前記特徴モジュールは、
取得されたデバイス情報に基づいて、事前に設定されたデバイス情報と特徴情報との対応関係を照会し、取得されたデバイス情報に対応する特徴情報を特定する第２の照会ユニットを備える。
【００２５】
前記特徴モジュールは、
取得された前記デバイス情報に基づいて、第１の端末装置に第１の端末装置の特徴情報の取得を要求する取得要求を送信する送信ユニットと、
第１の端末装置から送信された、第１の端末装置の特徴情報を含む要求に対する応答を受信する受信ユニットと、を備える、
又は、
前記特徴モジュールは、
ネットワーク側でデバイス情報に対応する特徴情報を検索する検索ユニットを備える。
【００２６】
前記出力モジュールは、
取得された特徴情報を表示する表示ユニット、又は、
第２の端末装置へ取得された特徴情報を送信する送信ユニットを備える。
【００２７】
デバイス情報は、ＭＡＣアドレス情報及び／又はポート利用情報を含む。
【００２８】
特徴情報は、ユーザ名情報、オペレーティング・システム情報、ブランド情報、デバイスモデル情報、メーカー情報、用途情報とアプリケーション名情報よりなる群から選ばれた１項又は数項を含む。
【００２９】
本発明の実施例の第３の局面は、ネットワーク装置を提供し、
ネットワーク装置は、
メモリ、およびメモリに記憶され、１つまたは１つ以上のプロセッサにより実行されるように配置された１つまたは１つ以上のプログラムを備え、
前記１つまたは１つ以上のプログラムは
第１の端末装置から送信されたネットワーク接続要求を受信するステップと、
受信された前記ネットワーク接続要求を解析して、第１の端末装置のデバイス情報を取得するステップと、
取得された前記デバイス情報に基づいて、第１の端末装置の身分情報を表す特徴情報を特定するステップと、
取得された前記特徴情報を出力するステップと
を行なうための指令を含む。
【００３０】
上記のような普通の記載及び後述での詳細な記載は例示的な内容だけであり、本発明を限定しない。
【図面の簡単な説明】
【００３１】
ここでの図面は、本明細書の一部として本発明をさらに理解するために提供され、本発明を限定することではない。
【図１】一例示的実施例に基づいて示される特徴情報の取得方法の例示的フローチャートである。
【図２】一例示的実施例に基づいて示されるポートを介して特徴情報を取得する方法の例示的フローチャートである。
【図３】一例示的実施例に基づいて示されるデバイス情報を介して特徴情報を取得する方法の例示的フローチャートである。
【図４】一例示的実施例に基づいて示される通信を介して特徴情報を取得する方法の例示的フローチャートである。
【図５】一例示的実施例に基づいて示される特徴情報の取得装置の例示的構造図である。
【図６Ａ】一例示的実施例に基づいて示される特徴モジュールの第１種の例示的構造図である。
【図６Ｂ】一例示的実施例に基づいて示される特徴モジュールの第２種の例示的構造図である。
【図７】一例示的実施例に基づいて示される特徴モジュールの第３種の例示的構造図である。
【図８Ａ】一例示的実施例に基づいて示される特徴モジュールの第４種の例示的構造図である。
【図８Ｂ】一例示的実施例に基づいて示される特徴モジュールの第５種の例示的構造図である。
【図９】一例示的実施例に基づいて示される出力モジュールの例示的構造図である。
【図１０】一例示的実施例に基づいて示されるネットワーク装置の例示的構造図である。
【００３２】
本発明について、上記図面で明確の実施例を示し、後述でより詳細に説明する。これらの図面及び記述は、何らかの方法で本発明の思想の範囲を制限するのではなく、特定な実施例を参照することで当業者に本発明のコンセプトを説明するためのものである。
【発明を実施するための形態】
【００３３】
以下、本発明の目的、技術方案及び利点をより明瞭にするために、実施形態及び図面を併せて、本発明について更なる詳細に説明する。ここで、本発明の模式的な実施形態及びその説明は、本発明を解釈するためのものであり、本発明を制限するものではない。
【００３４】
本発明の実施例は、メッセージ表示方法を提供し、以下、図面を参照し、本発明を詳細に説明する。
【００３５】
本発明の実施例は特徴情報の取得方法を提供しており、以下、図面を組合わせて本発明を詳細に説明する。
【００３６】
本発明の実施例では、ネットワークの接続過程によって第１の端末装置の特徴情報を取得するとともに、ユーザに特徴情報を出力する。これは、ユーザがネットワークと接続する第１の端末装置を理解し、更に、第１の端末装置に関する処理を行うことに便利する。例えば、第１の端末装置のネットワーク接続することを許可又は拒否する処理等である。
【００３７】
一実施例においては、図１に示すように、特徴情報を取得する方法は以下のステップを含む。
【００３８】
ステップ１０１では、第１の端末装置から送信されたネットワーク接続要求を受信する。
【００３９】
ステップ１０２では、受信された前記ネットワーク接続要求を解析し、第１の端末装置のデバイス情報を取得する。デバイス情報は、ＭＡＣアドレス情報を含む。デバイス情報は装置をユニークに標識可能な他の情報を更に含み得るが、通常にこれらの情報はユーザの識別できない情報であるので、デバイス情報によりユーザの識別に便利な特徴情報を取得する必要がある。
【００４０】
ここで、ＭＡＣ（Ｍｅｄｉｕｍ／Ｍｅｄｉａ  Ａｃｃｅｓｓ  Ｃｏｎｔｒｏｌ）アドレスは、ＭＡＣアドレス、物理アドレスとも言われ、インターネットにおけるそれぞれのサイトの識別子を表し、１６進数で示し、合わせて６バイト（４８ビット）である。ここで、前の３バイトはＩＥＥＥ（米国電気電子技術者協会）の登録管理機構ＲＡ（登録認証）により異なる製造者に割り当てられるコード（上位２４ビット）であり、「編成で唯一の識別子」（Ｏｒｇａｎｉｚａｔｉｏｎａｌｌｙ  Ｕｎｉｑｕｅ  Ｉｄｅｎｔｉｆｉｅｒ）とも言われ、後の３バイト（下位２４ビット）は各製造者自分により製造されたアダプタインターフェースに割り当てられ、拡大識別子（唯一性）と称される。１つのアドレスブロックは２＾２４の異なるアドレスが生成できる。実際的に、ＭＡＣアドレスはアダプタアドレス又はアダプタ識別子ＥＵＩ−４８である。
【００４１】
ステップ１０３では、取得された前記デバイス情報に従い、第１の端末装置の身分情報を表す特徴情報を特定する。特徴情報は、ユーザ名情報、オペレーティング・システム情報、ブランド情報、デバイスモデル情報、メーカー情報、用途情報とアプリケーション名情報よりなる群から選ばれた１つ又は複数を含む。特徴情報は、第１の端末装置に係る他の情報を更に含み、他のユーザが第１の端末装置を用いるユーザを識別できるようにする。ここで一々列挙しない。
【００４２】
ステップ１０４では、取得された特徴情報を出力する。
【００４３】
本実施例はルーターにより実施され得る。第１の端末装置がネットワークを介してルーターに接続する過程においては、ルーターは第１の端末装置の特徴情報を取得し、該特徴情報を出力することができ、これにより、他のユーザ、特にルーターの所有者が、ネットワークにて該ルーターに接続する端末装置と該端末装置を所有するユーザを獲得し、更に、ルーターの所有者が他の端末装置のルーターのネットワークへの接続を許可又は拒否することが便利になる。
【００４４】
ステップ１０３では、取得された前記デバイス情報に基づいて、第１の端末装置の身分情報を表す特徴情報を特定し、その実施形態が数種ある。例えば、
【００４５】
方式Ａ１：取得されたデバイス情報に基づいて、第１の端末装置とのネットワーク接続を作成する。第１の端末装置がアクセスするポートを特定する。第１の端末装置がアクセスするポートに基づいて、事前に設定されたポートと特徴情報との対応関係を照会し、取得されたデバイス情報に対応する特徴情報を特定する。例えば、特徴情報はオペレーティング・システム情報等を含む。
【００４６】
異なるオペレーティング・システムは、通常にそれぞれの特定のアプリケーションを有しており、オペレーティング・システムはこれらのアプリケーションを所持する（以下、固有アプリケーションと称する）。通常に、それぞれのアプリケーションは固定のアクセスポートを有する。本実施例では、固有アプリケーションの常用のポートは予め記録されている。オペレーティング・システムと固有アプリケーションとの対応関係、及び固有アプリケーションと常用ポートとの対応関係に基づいて、ポートとオペレーティング・システム情報との対応関係を確立する。端末装置のオペレーティング・システムは固定されたものである。したがって、端末装置は固有アプリケーションを所持し、更に、ネットワークにてルーターに接続した後、固定のポートをアクセスする。このため、端末装置がアクセスするポートによって該端末装置にインストールされたオペレーティング・システムを特定し得、更に、端末装置のブランド情報、デバイスモデル情報、メーカー情報などを特定し得る。例えば、オペレーティング・システムＸ１は会社Ｙ１により研究及び開発されたものであり、ブランドがＺ１である携帯電話に適用されているので、Ｘ１によりＹ１とＺ１が特定され得る。
【００４７】
前記第１の端末装置がアクセスするポートに基づいて、事前に設定されたポートと特徴情報との対応関係を照会して、取得された前記デバイス情報に対応する特徴情報を特定した後、更に、特定された特徴情報に基づいて、第１の端末装置に最終的な特徴情報を割り当てることができる。本発明の実施例では、直接に取得された特徴情報に最終的な特徴情報を割り当てることによって、直接に取得された特徴情報に比べて的確となり、ユーザの識別も容易となる。
【００４８】
方式Ａ２：取得されたデバイス情報に基づいて、事前に設定されたデバイス情報と特徴情報との対応関係を照会して、取得されたデバイス情報に対応する特徴情報を特定する。本実施例では、予めメーカー等のチャンネルからデバイス情報と特徴情報との対応関係を取得でき、更に、該対応関係のために大きなデータベースを作成できる。そして、ルーターは受信されたデバイス情報とデータベースにおけるデバイス情報とを一致性照合（マッチング）を行ない、一致した場合、照合に成功したデバイス情報の対応する特徴情報を特定する。
【００４９】
方式Ａ３：取得されたデバイス情報に基づいて、第１の端末装置へ第１の端末装置の特徴情報を取得する取得要求を送信一方、第１の端末装置から送信した第１の端末装置の特徴情報を含む要求に対する応答を受信する。本実施例では、第１の端末装置に要求を送信するような方式で第１の端末装置による特徴情報のフィードバックを要求する。
【００５０】
方式Ａ４：ネットワーク側でデバイス情報に対応する特徴情報を検索する。この方式はネットワークにて特徴情報を取得でき、取得のチャンネルがさらに広い。
【００５１】
ステップ１０４では、取得された特徴情報の出力は多くの実施方法がある。例えば、取得された特徴情報を表示する方式Ｂ１である。ルーターにディスプレーが配置されている場合、該方式が用いられ、特徴情報が直接的に表現できる。又は、方式Ｂ２のように、第２の端末装置へ取得された特徴情報を出す。該方式によって特徴情報の伝送距離を増加可能であり、特徴情報を一定に間隔された第２の端末装置に伝送できる。
【００５２】
上記のように、図１に示す実施例における各要素の様々な実施形態を紹介し、以下、幾つかの実施例によって実施過程を詳細に紹介する。
【００５３】
一実施例では、ルーターにより実施され得る。図２に示すように、ポートを介して特徴情報を取得する方法は以下の通りである：
【００５４】
ステップ２０１では、ルーターは第１の端末装置から送信されたネットワーク接続要求を受信する。該第１の端末装置は携帯電話、パネルコンピュータ、パソコン、テレビ、セットトップボックス等の端末装置であり得、ここで一々列挙しない。
【００５５】
ステップ２０２では、ルーターは受信されたネットワーク接続要求から第１の端末装置のデバイス情報を取得する。
【００５６】
該デバイス情報は全世界でユニークなＭＡＣアドレスであり得る。
【００５７】
ステップ２０３では、ルーターは取得されたデバイス情報に基づいて第１の端末装置とネットワーク接続を確立する。
【００５８】
ステップ２０４では、ルーターは第１の端末装置がアクセスするポートを特定する。
【００５９】
ステップ２０５では、ルーターは第１の端末装置がアクセスするポートに基づいて、事前に設定されたポートと特徴情報との対応関係を照会し、取得されたデバイス情報に対応する特徴情報を特定する。
【００６０】
ステップ２０６では、第２の端末装置へ取得された特徴情報を送信する。
【００６１】
本実施例では、ルーターは、第１の端末装置とのネットワーク接続が確立された後、各ポートを走査し、第１の端末装置がアクセスするポートを記録する。ルーターは第１の端末装置がアクセスするポートに基づいて第１の端末装置の特徴情報を特定して、第２の端末装置に送信する。ここで、ルーターには予め第２の端末装置の識別番号は配置されている。本実施例では、ポートと特徴情報との対応関係のデータ量が比較的小さく、該対応関係は比較的容易に作成され得、照会過程も比較的速く、且つ、占めるルーターの記憶空間も比較的小さい。
【００６２】
一実施例では、ルーターにより実施され得る。図３に示すように、デバイス情報によって特徴情報を取得する方法は以下の通りである：
【００６３】
ステップ３０１では、第１の端末装置から送信されたネットワーク接続要求を受信する。
【００６４】
ステップ３０２では、受信られた前記ネットワーク接続要求を解析し、第１の端末装置のデバイス情報を取得する。
【００６５】
ステップ３０３では、取得されたデバイス情報に基づいて、事前に設定されたデバイス情報と特徴情報との対応関係を照会し、取得されたデバイス情報に対応する特徴情報を特定する。
【００６６】
ステップ３０４では、第２の端末装置へ取得された特徴情報を送信する。
【００６７】
本実施例では、予め様々な方法を介して、デバイス情報と、ユーザ名情報、オペレーティング・システム情報、ブランド情報、デバイスモデル情報、メーカー情報、用途情報及びアプリケーション名情報等を含む特徴情報との対応関係を確立する。例えば、ユーザ名情報はＸＸ−ＩＯＳ６であり、ＸＸは第１の端末装置の所有者の姓名の略称であり、ＩＯＳ６（登録商標）はオペレーティング・システム情報であり、一般的には、ユーザ名情報はユーザが第１の端末装置で登録したユーザ名である。オペレーティング・システム情報の例としてＩＯＳ６が挙げられる。ブランド情報の例として、アップル（登録商標）、サムスン（登録商標）等が挙げられる。デバイスモデル情報の例としてＩ９５００等がは挙げられる。メーカー情報の例として、アップル、サムスン等が挙げられ、ブランド情報と同一である可能性がある。用途情報の例として携帯電話、パネルコンピュータ等が挙げられ、用途情報はデバイスモデル情報に含まれ得る。アプリケーション名情報の例としてアクセスポートの対応する固有アプリケーションの名称情報が挙げられる。
【００６８】
本実施例では、デバイス情報と特徴情報との対応関係は、図２に示す実施例におけるポートと特徴情報との対応関係に比べて、データ量がより多く、情報がより全面的、的確である。
【００６９】
一実施例では、ルーターにより実施され得る。図４に示すように、通信によって特徴情報を取得する方法は以下の通りである：
【００７０】
ステップ４０１では、第１の端末装置から送信されたネットワーク接続要求を受信する。
【００７１】
ステップ４０２では、受信された前記ネットワーク接続要求を解析し、第１の端末装置のデバイス情報を取得する。
【００７２】
ステップ４０３では、取得されたデバイス情報に基づき、第１の端末装置へ、第１の端末装置の特徴情報を取得する取得要求を送信する。
【００７３】
ステップ４０４では、第１の端末装置から送信した第１の端末装置の特徴情報を含む要求に対する応答を受信する。
【００７４】
ステップ４０５では、取得された特徴情報を表示する。
【００７５】
本実施例では、ルーターは第１の端末装置に取得要求を主動的に送信することによって、第１の端末装置の特徴情報を取得するよう要求する。第１の端末装置からの要求に対する応答には特徴情報が含まれている。図２及び図３に示す実施例に比べて、該方式は予め対応関係を確立する必要がなく、記憶空間及び照会過程を節約し、且つ、取得された特徴情報は比較的に的確である。特徴情報は、ユーザ名情報、オペレーティング・システム情報、ブランド情報、デバイスモデル情報、メーカー情報、用途情報とアプリケーション名情報等を含む。なお、取得要求は更に情報タイプを含み得、これにより、特徴情報中の１種または数種の情報の取得を要求する。第１の端末装置は情報タイプに基づいて、要求に対する応答に対応する特徴情報を加える。例えば、取得要求中の情報タイプはユーザ名情報を示す場合、第１の端末装置は要求に対する応答にローカル的なユーザ名情報を加える。
【００７６】
上記の記載により、特徴情報の取得の実施過程を了解し、当該過程は装置により実施され得る。以下、装置の内部構造及び機能について紹介を行う。
【００７７】
一実施例では、図５に示すように、特徴情報を取得する装置は、受信モジュール５０１、解析モジュール５０２、特徴モジュール５０３と出力モジュール５０４を備える。
【００７８】
受信モジュール５０１は第１の端末装置から送信されたネットワーク接続要求を受信する。
【００７９】
解析モジュール５０２は受信された前記ネットワーク接続要求を解析し、第１の端末装置のデバイス情報を取得する。デバイス情報は、ＭＡＣアドレス情報及び／又はポート利用情報を含む。
【００８０】
特徴モジュール５０３は取得された前記デバイス情報に基づいて、第１の端末装置の身分情報を表す特徴情報を特定する。特徴情報は、ユーザ名情報、オペレーティング・システム情報、ブランド情報、デバイスモデル情報、メーカー情報、用途情報とアプリケーション名情報よりなる群から選ばれた１項又は数項を含む。
【００８１】
出力モジュール５０４は取得された特徴情報を出力する。
【００８２】
一実施例では、図６Ａに示すように、特徴モジュール５０３は、接続ユニット６０１、ポートユニット６０２及び第１の照会ユニット６０３を含む。
【００８３】
接続ユニット６０１は取得されたデバイス情報に基づいて第１の端末装置とネットワーク接続を確立する。
【００８４】
ポートユニット６０２は第１の端末装置がアクセスするポートを特定する。
【００８５】
第１の照会ユニット６０３は第１の端末装置がアクセスするポートに基づいて、事前に設定されたポートと特徴情報との対応関係を照会し、取得されたデバイス情報に対応する特徴情報を特定する。
【００８６】
一実施例では、図６Ｂに示すように、特徴モジュール５０３は、特定された特徴情報に基づいて第１の端末装置に最終的な特徴情報を割り当てる割当ユニット６０８を更に含む。
【００８７】
一実施例では、図７に示すように、特徴モジュール５０３は第２の照会ユニット６０４を含む。
【００８８】
第２の照会ユニット６０４は、取得されたデバイス情報に基づいて、事前に設定されたデバイス情報と特徴情報との対応関係を照会し、取得されたデバイス情報に対応する特徴情報を特定する。
【００８９】
一実施例では、図８Ａに示すように、特徴モジュール５０３は送信ユニット６０５と受信ユニット６０６を含む。
【００９０】
送信ユニット６０５は取得されたデバイス情報に基づいて、第１の端末装置に取得要求を送信し、第１の端末装置の特徴情報の取得を要求する。
【００９１】
受信ユニット６０６は、第１の端末装置から送信された、第１の端末装置の特徴情報を含む要求に対する応答を受信する。
【００９２】
一実施例では、図８Ｂに示すように、特徴モジュール５０３は、ネットワーク側でデバイス情報に対応する特徴情報を検出する検索ユニット６０７を含む。
【００９３】
一実施例では、図９に示すように、出力モジュール５０４は表示ユニット９０１又は送信ユニット９０２を含む。
【００９４】
表示ユニット９０１は取得された特徴情報を表示する。
【００９５】
送信ユニット９０２は第２の端末装置へ取得された特徴情報を送信する。
【００９６】
図１０は本発明の実施例に関わるネットワーク装置の構造模式図である。該ネットワーク装置１０００は配置又は性能の区別によって比較的大きく相違する可能性があり、１つ又は一つ以上の中央処理装置（ｃｅｎｔｒａｌ  ｐｒｏｃｅｓｓｉｎｇ  ｕｎｉｔｓ、ＣＰＵ）１９２２（例えば、１つ又は一つ以上のプロセッサ）と、メモリ１９３２と、アプリケーション１９４２又はデータ１９４４を記憶する１つ又は一つ以上の記憶媒体１９３０（例えば、１つ又は一つ以上の大容量記憶装置）と、を含み得る。ここで、メモリ１９３２と記憶媒体１９３０は短期記憶型または長期記憶型であってもよい。記憶媒体１９３０に記憶されるプログラムは１つ又は一つ以上のモジュール（未図示）を含み得、それぞれのモジュールは、ネットワーク装置に対する一連の指令操作を含み得る。更に、中央処理装置１９２２は、記憶媒体１９３０と通信し、ネットワーク装置１０００で記憶媒体１９３０中の一連の指令操作を実行するように設置され得る。
【００９７】
ネットワーク装置１０００は、更に１つ又は一つ以上の電源１９２６、１つ又は一つ以上のワイヤード又はワイヤレースネットワークインターフェース１９５０、１つ又は一つ以上の入出力インターフェース１９５８、１つ又は一つ以上のキーボード１９５６、及び／又は、１つ又は一つ以上のオペレーティング・システム１９４１が含み得る。オペレーティング・システム１９４１として、例えば、Ｗｉｎｄｏｗｓ  Ｓｅｒｖｅｒ（登録商標）、Ｍａｃ  ＯＳ  Ｘ（登録商標）、Ｕｎｉｘ（登録商標）、  Ｌｉｎｕｘ（登録商標）、ＦｒｅｅＢＳＤ（登録商標）などである。
【００９８】
ネットワーク装置１０００はルーター等のネットワーク装置であり得、メモリ、およびメモリに記憶され、１つまたは１つ以上のプロセッサにより実行されるように配置された１つまたは１つ以上のプログラムを備え、
前記１つまたは１つ以上のプログラムは、
第１の端末装置から送信されたネットワーク接続要求を受信するステップと、
受信された前記ネットワーク接続要求を解析し、第１の端末装置のデバイス情報を取得するステップと、
取得された前記デバイス情報に基づいて、第１の端末装置の身分情報を表す特徴情報を特定するステップと、
取得された特徴情報を出力するステップと、を行なうための指令を含む。
【００９９】
メモリは以下の操作を実行する指令を更に含み得る：
取得された前記デバイス情報に基づいて、第１の端末装置の身分情報を表す特徴情報を特定する前記ステップは、
取得された前記デバイス情報に基づいて前記第１の端末装置とネットワーク接続を確立するステップと、
前記第１の端末装置がアクセスするポートを特定するステップと、
前記第１の端末装置がアクセスするポートに基づいて、事前に設定されたポートと特徴情報との対応関係を照会し、取得された前記デバイス情報に対応する特徴情報を特定するステップと、を備える。
【０１００】
メモリは以下の操作を実行する指令を更に含み得る：
取得された前記デバイス情報に基づいて、第１の端末装置の身分情報を表す特徴情報を特定する前記ステップは、
前記第１の端末装置がアクセスするポートに基づいて、事前に設定されたポートと特徴情報との対応関係を照会し、取得された前記デバイス情報に対応する特徴情報を特定した後、特定された特徴情報に基づいて第１の端末装置に最終的な特徴情報を割り当てるステップを備える。
【０１０１】
メモリは以下の操作を実行する指令を更に含み得る：
取得された前記デバイス情報に基づいて、第１の端末装置の身分情報を表す特徴情報を特定する前記ステップは、
取得された前記デバイス情報に基づいて、事前に設定されたデバイス情報と特徴情報との対応関係を照会し、取得された前記デバイス情報に対応する特徴情報を特定するステップを備える。
【０１０２】
メモリは以下の操作を実行する指令を更に含み得る：
取得された前記デバイス情報に基づいて、第１の端末装置の身分情報を表す特徴情報を特定する前記ステップは、
取得された前記デバイス情報に基づいて、前記第１の端末装置に第１の端末装置の特徴情報の取得を要求する取得要求を送信し、前記第１の端末装置から送信された前記第１の端末装置の特徴情報を含む要求に対する応答を受信ステップ、
又は、ネットワーク側で前記デバイス情報に対応する特徴情報を検索するステップを備える。
【０１０３】
メモリは以下の操作を実行する指令を更に含み得る：
取得された特徴情報を出力する前記ステップは、
取得された前記特徴情報を表示するステップと、又は、
第２の端末装置へ取得された前記特徴情報を出すステップを備える。
【０１０４】
メモリは以下の操作を実行する指令を更に含み得る：
前記デバイス情報は、ＭＡＣアドレス情報及び／又はポート利用情報を含む。
【０１０５】
メモリは以下の操作を実行する指令を更に含み得る：
前記特徴情報は、ユーザ名情報、オペレーティング・システム情報、ブランド情報、デバイスモデル情報、メーカー情報、用途情報とアプリケーション名情報よりなる群から選ばれた１項又は数項を含む。
【０１０６】
本発明の実施例では、ネットワーク接続過程を介して、第１の端末装置の特徴情報を取得でき、且つ、ユーザへ特徴情報を出力できる。ユーザがネットワークにて接続される第１の端末装置を了解し、更に、第１の端末装置に関する一部の処理を行うことに便利する。例えば、第１の端末装置のネットワーク接続することを許可または拒否する処理等を行う。本発明は、特徴情報の取得と、特徴情報の出力の多くの方式を提供し、多種の応用場合に適応し、実際的な必要に応じて決められる。
【０１０７】
なお、典型的には、本発明に記載のモバイル端末は、例えば携帯電話、パーソナルディジタルアシスタント（ＰＤＡ）等の各種の手持ち端末装置であってもよいため、本発明の保護範囲をある特定タイプのモバイル端末に限定すべきではない。
【０１０８】
なお、本発明に係る方法は、さらに、ＣＰＵにより実行されるコンピュータプログラムとしても実現されることができる。該コンピュータプログラムがＣＰＵにより実行されると、本発明の方法において限定される上述の機能が実現される。
【０１０９】
なお、上記の方法の各ステップ及びシステム要素は、コントローラ、及びコントローラに上記のステップ又は要素の機能を実現させるコンピュータプログラムを記録するためのコンピュータ読取り可能な記録媒体によりも実現されることができる。
【０１１０】
なお、当業者であれば、本発明に記載のコンピュータ読取り可能な記録媒体（例えば、メモリ）は、揮発性メモリまたは不揮発性メモリのいずれかであってもよく、あるいは、揮発性メモリ及び不揮発性メモリの両方を備えてもよいことを理解すべきである。例えば、不揮発性メモリには、ＲＯＭ（Ｒｅａｄ  Ｏｎｌｙ  Ｍｅｍｏｒｙ）、ＰＲＯＭ（Ｐｒｏｇｒａｍｍａｂｌｅ  ＲＯＭ）、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、又はフラッシュメモリが含まれてもよく、揮発性メモリには、外部のキャッシュメモリとして機能するＲＡＭ（Ｒａｎｄｏｍ  Ａｃｃｅｓｓ  Ｍｅｍｏｒｙ）が含まれてもよいが、両方ともこれに限定されないものではない。例えば、ＲＡＭは、ＳＲＡＭ（ｓｙｎｃｈｒｏｎｏｕｓ  ＲＡＭ）、ＤＲＡＭ（Ｄｙｎａｍｉｃ  ＲＡＭ）、ＳＤＲＡＭ（Ｓｙｎｃｈｒｏｎｏｕｓ  Ｄｙｎａｍｉｃ  ＲＡＭ）、ＤＤＲ  ＳＤＲＡＭ（Ｄｏｕｂｌｅ−Ｄａｔａ−Ｒａｔｅ  ＳＤＲＡＭ）、ＥＳＤＲＡＭ（Ｅｎｈａｎｃｅｄ  ＳＤＲＡＭ）、ＳＬＤＲＡＭ（Ｓｙｎｃｈｒｏｎｏｕｓ  ｌｉｎｋ  ＲＡＭ）及びＤＲＲＡＭ（Ｄｉｒｅｃｔ  Ｒａｍｂｕｓ  ＲＡＭ）などの多くの形式により実現可能であるが、これに限定されないものではない。ここで上記の記録媒体を開示するのは、本発明の保護範囲にこれらの記録媒体及び他の適したタイプの記録媒体を含ませるためであって、これらのみに限定されないことを意図する。
【０１１１】
当業者は、更に、本発明に記載の種々の例示的な論理ブロック、モジュール、回路、及びアルゴリズムステップが、電子ハードウェア、コンピュータソフトウェア、又は両者の組み合わせにより実現され得る、ことを理解すべきである。ハードウェアとソフトウェアの間のこのような互換性を明確に説明するために、種々の例示的なコンポーネント、ブロック、モジュール、回路、及びステップの機能について、以上において通常的な説明を行っている。このような機能が、ソフトウェアにより実現されるか、又は、ハードウェアにより実現されるかは、具体的なアプリ、及びシステム全体に課される設計上の制約により選択される。当業者は、具体的なアプリそれぞれにおいて、様々な方式を選択して前記機能を実現してもよく、このような選択は、本発明の範囲を逸脱したものとして解釈されるべきではない。
【０１１２】
以上の開示内容に結び付けられて説明される種々の例示的な論理ブロック、モジュール、及び回路は、上述の機能を行なうように設計された汎用プロセッサ、ＤＳＰ（Ｄｉｇｉｔａｌ  Ｓｉｇｎａｌ  Ｐｏｃｅｓｓｏｒ）、特定用途向け集積回路（ＡＳＩＣ）、ＦＰＧＡ（Ｆｉｅｌｄ−ｐｒｏｇｒａｍｍａｂｌｅ  Ｇａｔｅ  Ａｒｒａｙ）または他のプログラム可能な論理デバイス、ディスクリートゲートまたはトランジスタロジック、ディスクリートハードウェアコンポーネント、或いは、これら部材の任意の組み合わせによって、実現又は実行されることができる。汎用プロセッサは、マイクロプロセッサであってもよいが、マイクロプロセッサの代わりに、プロセッサは任意の従来のプロセッサ、コントローラ、マイクロコントローラ、又は状態機械であってもよい。プロセッサは、例えば、ＤＳＰとマイクロプロセッサの組み合わせ、複数のマイクロプロセッサ、ＤＳＰコアと１つ又は複数のマイクロプロセッサの組み合わせ、或いは任意のこのような他の構成といった、コンピューティングデバイスの組み合わせとして実現されてもよい。
【０１１３】
以上の開示内容に結び付けられて説明される方法、又は、アルゴリズムのステップは、ハードウェア、プロセッサによって実行されるソフトウェアモジュール、又はこの両者の組合せに直接的に含まれる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、又は当該分野において公知の他の形態で存在する任意の記憶媒体に格納されてもよい。例示的な記憶媒体は、プロセッサが記憶媒体から情報を読み出すことができ、且つ、プロセッサが記憶媒体に情報を書き込むことができるように、プロセッサに結合される。代案として、前記記憶媒体はプロセッサと一体的に集積されてもよい。プロセッサと記憶媒体はＡＳＩＣに格納されてもよい。ＡＳＩＣはユーザ端末に格納されてもよい。代案として、プロセッサと記憶媒体は別個のコンポーネントとしてユーザ端末に格納されてもよい。
【０１１４】
１つ又は複数の例示的な設計として、前記機能はハードウェア、ソフトウェア、ファームウェア又はこれらの任意の組み合わせによって実現されることができる。ソフトウェアにより実現される場合、前記機能を１つ又は複数の指令、又はコードとしてコンピュータ読取り可能な媒体に記憶するか、又は、コンピュータ読取り可能な媒体を用いて伝送する。コンピュータ読取り可能な媒体は、コンピュータ記憶媒体及び通信媒体を含み、該通信媒体には、コンピュータプログラムを１つの位置から他の位置へ伝送するための任意の媒体が含まれる。記憶媒体は、汎用又は専用コンピュータによりアクセス可能な任意の使用可能媒体であり得る。例として、当該コンピュータ読取り可能な媒体は、ＲＡＭ、ＲＯＭ、ＥＥＰＲＯＭ、ＣＤ−ＲＯＭ又は他の光ディスク記憶デバイス、ディスク記憶デバイス又は他の磁性記憶デバイスを含んでもよく、或いは、携帯できるもの、又は記憶形態が指令又はデータ構造である必要なプログラムコードを記憶するためのもので、且つ、汎用又は専用コンピュータ或いは汎用又は専用プロセッサアクセスによりアクセス可能な任意の他の媒体であり得るが、これに限定されるものではない。なお、任意のネットワークの接続であっても、コンピュータ読取り可能な媒体として称されることができる。例えば、同軸ケーブル、光ファイバケーブル、ツイストペア、デジタル加入者回線（ＤＳＬ）、又は、赤外線、ワイヤレス及びマイクロ波のような無線技術を用いて、ウェブサイト、サーバ又は他のリモートソースからソフトウェアを送信する場合、上記の同軸ケーブル、光ファイバケーブル、ツイストペア、ＤＳＬ、又は、赤外線、ワイヤレス及びマイクロ波のような無線技術の何れもが媒体の定義に含まれる。以上の磁気ディスク及び光ディスクは、ＣＤ（ｃｏｍｐａｃｔ  ｄｉｓｋ）、レーザーディスク、光ディスク、ＤＶＤ（ｄｉｇｉｔａｌ  ｖｅｒｓａｔｉｌｅ  ｄｉｓｃ）、フロッピー・ディスク、ブルーレイディスク（登録商標）を含み、磁気ディスクは、通常磁性を利用してデータの再生を行なうものであり、光ディスクは、レーザ光を用いて光学的にデータの再生を行なうものである。また、以上の構成の組合わせもコンピュータ読取り可能な媒体の範囲に含まれるべきである。
【０１１５】
以上の開示内容により、本発明の実施例を例示的に示しているが、請求項により限定される本発明の範囲を逸脱しない限り、多種の変更及び修正を行うことができる。以上に開示された実施例に基づく方法請求項の機能、ステップ及び／又はジェスチャーは、ある特定の手順で実行する必要はない。なお、本発明に係る要素は、個体として記載又は要求されているが、単数であると明確に限定されていない限り、複数であってもよい。
【０１１６】
上記の具体的な実施形態において、本発明の目的、技術案及び有益な効果について更に詳細に説明しているが、上記の内容は、本発明の具体的な実施形態であって、本発明の保護範囲に対する限定ではなく、本発明の趣旨及び原則範囲内で行われる任意の修正、均等の取替、改良などは、その何れも本発明の保護範囲に含まれるべきである、ということは理解されるべきである。
【図１】
2016502172.tif 000003
【図２】
2016502172.tif 000004
【図３】
2016502172.tif 000005
【図４】
2016502172.tif 000006
【図５】
2016502172.tif 000007
【図６Ａ】
2016502172.tif 000008
【図６Ｂ】
2016502172.tif 000009
【図７】
2016502172.tif 000010
【図８Ａ】
2016502172.tif 000011
【図８Ｂ】
2016502172.tif 000012
【図９】
2016502172.tif 000013
【図１０】
2016502172.tif 000014
【手続補正書】
【提出日】平成26年7月30日(2014.7.30)
【手続補正１】
【補正対象書類名】特許請求の範囲
【補正対象項目名】全文
【補正方法】変更
【補正の内容】
【特許請求の範囲】
【請求項１】
第１の端末装置から送信されたネットワーク接続要求を受信するステップと、
受信された前記ネットワーク接続要求を解析して、前記第１の端末装置のデバイス情報を取得するステップと、
取得された前記デバイス情報に基づいて、第１の端末装置の身分情報を表す特徴情報を特定するステップと、
取得された前記特徴情報を出力するステップと、
を備えることを特徴とする特徴情報を取得する方法。
【請求項２】
取得された前記デバイス情報に基づいて、第１の端末装置の身分情報を表す特徴情報を特定する前記ステップは、
取得された前記デバイス情報に基づいて、事前に設定されたデバイス情報と特徴情報との対応関係を照会し、取得された前記デバイス情報に対応する特徴情報を特定するステップを備えることを特徴とする請求項１に記載の方法。
【請求項３】
取得された前記デバイス情報に基づいて、第１の端末装置の身分情報を表す特徴情報を特定する前記ステップは、
取得された前記デバイス情報に基づいて、前記第１の端末装置とネットワーク接続を確立するステップと、
前記第１の端末装置がアクセスするポートを特定するステップと、
前記第１の端末装置がアクセスするポートに基づいて、事前に設定されたポートと特徴情報との対応関係を照会し、取得された前記デバイス情報に対応する特徴情報を特定するステップと、
を備えることを特徴とする請求項１に記載の方法。
【請求項４】
取得された前記デバイス情報に基づいて、第１の端末装置の身分情報を表す特徴情報を特定する前記ステップは、
前記第１の端末装置がアクセスするポートに基づいて、事前に設定されたポートと特徴情報との対応関係を照会し、取得された前記デバイス情報に対応する特徴情報を特定した後、特定された特徴情報に基づいて、第１の端末装置に最終的な特徴情報を割り当てるステップを備えることを特徴とする請求項３に記載の方法。
【請求項５】
取得された前記デバイス情報に基づいて、第１の端末装置の身分情報を表す特徴情報を特定する前記ステップは、
取得された前記デバイス情報に基づいて、前記第１の端末装置に第１の端末装置の特徴情報の取得を要求する取得要求を送信し、前記第１の端末装置から送信された、前記第１の端末装置の特徴情報を含む、要求に対する応答を受信するステップ、又は、
ネットワーク側で前記デバイス情報に対応する特徴情報を検索するステップを備えることを特徴とする請求項１に記載の方法。
【請求項６】
取得された特徴情報を出力する前記ステップは、
取得された前記特徴情報を表示するステップ、又は、
第２の端末装置へ取得された前記特徴情報を送信するステップを備えることを特徴とする請求項１に記載の方法。
【請求項７】
前記デバイス情報は、媒体アクセス制御ＭＡＣアドレス情報及び／またはポート利用情報を含むことを特徴とする請求項１に記載の方法。
【請求項８】
前記特徴情報は、ユーザ名情報、オペレーティング・システム情報、ブランド情報、デバイスモデル情報、メーカー情報、用途情報及びアプリケーション名情報よりなる群から選ばれた１項又は数項を含むことを特徴とする請求項１に記載の方法。
【請求項９】
第１の端末装置から送信されたネットワーク接続要求を受信する受信モジュールと、
受信された前記ネットワーク接続要求を解析して、第１の端末装置のデバイス情報を取得する解析モジュールと、
取得された前記デバイス情報に基づいて、第１の端末装置の身分情報を表す特徴情報を特定する特徴モジュールと、
取得された前記特徴情報を出力する出力モジュールと、
を備えることを特徴とする特徴情報を取得する装置。
【請求項１０】
前記特徴モジュールは、
取得された前記デバイス情報に基づいて、前記第１の端末装置とネットワーク接続を確立する接続ユニットと、
前記第１の端末装置がアクセスするポートを特定するポートユニットと、
前記第１の端末装置がアクセスするポートに基づいて、事前に設定されたポートと特徴情報との対応関係を照会し、取得された前記デバイス情報に対応する特徴情報を特定する第１の照会ユニットと、
を備えることを特徴とする請求項９に記載の特徴情報を取得する装置。
【請求項１１】
前記特徴モジュールは、特定された特徴情報に基づいて、第１の端末装置に最終的な特徴情報を割り当てる割当ユニットを備えることを特徴とする請求項１０に記載の特徴情報を取得する装置。
【請求項１２】
前記特徴モジュールは、取得された前記デバイス情報に基づいて、事前に設定されたデバイス情報と特徴情報との対応関係を照会し、取得された前記デバイス情報に対応する特徴情報を特定する第２の照会ユニットを備えることを特徴とする請求項９に記載の特徴情報を取得する装置。
【請求項１３】
前記特徴モジュールは、
取得された前記デバイス情報に基づいて、前記第１の端末装置に前記第１の端末装置の特徴情報の取得を要求する取得要求を送信する送信ユニットと、
第１の端末装置から送信された、前記第１の端末装置の特徴情報を含む、要求に対する応答を受信する受信ユニットと、を備えるか、
又は、
ネットワーク側で前記デバイス情報に対応する特徴情報を検索する検索ユニットを備える、
ことを特徴とする請求項９に記載の特徴情報を取得する装置。
【請求項１４】
前記出力モジュールは、
取得された前記特徴情報を表示する表示ユニット、又は、
第２の端末装置へ取得された前記特徴情報を送信する送信ユニットを備える、
ことを特徴とする請求項９に記載の特徴情報を取得する装置。
【請求項１５】
メモリ、およびメモリに記憶され、１つまたは１つ以上のプロセッサにより実行されるように配置された１つまたは１つ以上のプログラムを備え、
前記１つまたは１つ以上のプログラムは
第１の端末装置から送信されたネットワーク接続要求を受信するステップと、
受信された前記ネットワーク接続要求を解析して、第１の端末装置のデバイス情報を取得するステップと、
取得された前記デバイス情報に基づいて、第１の端末装置の身分情報を表す特徴情報を特定するステップと、
取得された前記特徴情報を出力するステップと
を行なうための指令を含むことを特徴とするネットワーク装置。
【請求項１６】
プロセッサに実行されることにより、請求項１から請求項８のいずれかに記載の特徴情報を取得する方法を実現することを特徴とするプログラム。
【請求項１７】
請求項１６に記載のプログラムが記録された記録媒体。
【手続補正３】
【補正対象書類名】明細書
【補正対象項目名】０００２
【補正方法】変更
【補正の内容】
【０００２】
本発明は、コンピュータ及び通信技術分野に関し、特に、特徴情報の取得方法、装置、ネットワーク装置、プログラム及び記録媒体に関している。
【手続補正４】
【補正対象書類名】明細書
【補正対象項目名】００３０
【補正方法】変更
【補正の内容】
【００３０】
本発明の実施例の第４の局面は、プロセッサに実行されることにより、上記の特徴情報を取得する方法を実現するプログラムを提供する。
本発明の実施例の第５の局面は、前記プログラムが記録された記録媒体を提供する。
上記のような普通の記載及び後述での詳細な記載は例示的な内容だけであり、本発明を限定しない。
【国際調査報告】
2016502172.tif 000015
2016502172.tif 000016
2016502172.tif 000017
2016502172.tif 000018